(57)【要約】【課題】かご内インターホン釦を操作し、リセット信号と連動してエレベータを再起動可能にしたエレベータの閉じ込め防止装置を得る。【解決手段】エレベータのかご室１と、かご室に設けられたかご操作盤２と、かご室内に乗客４が閉じ込められた時、乗客が操作することにより情報センター５と接続されてインターホン通話６を可能とするかご内インターホン釦３と、閉じ込め故障時に情報センターに異常信号９を送る制御盤７とを備え、閉じ込め故障が発生した際、故障対応者である保守技術者１１が現場に到着し、操作盤をリセットしてから救出できるように構成されたものにおいて、乗客がかご内インターホン釦を操作すると同時に、制御盤にリセット信号を送り、保守技術者が現場に到着する前に、エレベータをリセットして再起動可動にする。【選択図】図１
2008308253.tif 000002
【特許請求の範囲】
【請求項１】
エレベータのかご室と、前記かご室に設けられたかご操作盤と、故障等により前記かご室内に乗客が閉じ込められた時、閉じ込められた乗客が操作することにより情報センターと接続されてインターホン通話を可能とするかご内インターホン釦と、閉じ込め故障時に前記情報センターに異常信号を送る制御盤とを備え、閉じ込め故障が発生した際に、故障対応者である保守技術者が現場に到着し、前記操作盤をリセットしてから救出できるように構成されたエレベータにおいて、
かご室内に閉じ込められた乗客が前記かご内インターホン釦を操作すると同時に、前記制御盤にリセット信号を送り、故障対応者である保守技術者が現場に到着する前に、エレベータをリセットして再起動可動にすることを特徴とするエレベータの閉じ込め防止装置。
【請求項２】
エレベータのかご室と、前記かご室に設けられたかご操作盤と、安全チェックによる停止故障により前記かご室内に乗客が閉じ込められた時、閉じ込められた乗客が操作することにより情報センターと接続されてインターホン通話を可能とするかご内インターホン釦と、安全チェックによる閉じ込め故障時に前記情報センターに異常信号を送る制御盤とを備え、閉じ込め故障が発生した際に、故障対応者である保守技術者が現場に到着し、前記操作盤をリセットしてから救出できるように構成された静止系エレベータにおいて、
安全チェックによる停止故障時、かご室内に閉じ込められた乗客が前記かご内インターホン釦を操作すると同時に、前記制御盤にリセット信号を送り、故障対応者である保守技術者が現場に到着する前に、エレベータをリセットして再起動可動にすることを特徴とするエレベータの閉じ込め防止装置。
【発明の詳細な説明】
【技術分野】
【０００１】
この発明は、静止系エレベータにおいて、安全チェックによる停止故障時、閉じ込められた乗客がかご内インターホン釦を押すことにより、それに連動して制御盤にリセット信号を送り、再起動できる構造にしたエレベータの閉じ込め防止装置に関するものである。
【背景技術】
【０００２】
従来の静止系エレベータの代表的な構成を図２に示す。
図において、１はエレベータのかご室、２はかご室１の側壁に設けられたかご操作盤、３はかご操作盤２に設けられたかご内インターホン釦、４はかご室１内の乗客、５は外部の情報センターである。エレベータの安全チェックによる故障等により乗客４がかご室１内に閉じ込められた場合、乗客４がかご内インターホン釦３を操作することにより、情報センター５と直接インターホン通報６することが可能となっている。７はエレベータの制御盤、８は制御盤７に設けられた制御基盤で、エレベータの安全チェックによる閉じ込め故障時に情報センター５に異常信号９を送る。１０はエレベータの安全チェックによる閉じ込め故障時等に出動して故障対応活動を行う保守技術者１１が詰めている保守技術者所属事務所である。そして、情報センター５より閉じ込め救出指示１２が保守技術者所属事務所１０に来ると、故障対応者である保守技術者１１が出動してエレベータの閉じ込め故障が発生したビル等に到着し、保守技術者が制御盤を操作することによりリセットしていた。
【０００３】
また、従来技術として、エレベータ運転制御手段と、エレベータの異常を検出する異常検出手段と、マイクロコンピュータの回路を一時的に遮断した後、リセットを行うリセット手段を設けた。そして、エレベータかご内に乗客がいるときのみリセット手段を有効にするリセット制限手段を設けた。また、乗客が乗っているときは、リセット手段が動作し、乗客救出運転と点検運転を行い、この間に異常検出手段が動作しないとき通常運転に復帰する運転復帰手段を設けたエレベータの監視制御装置が知られている（例えば、特許文献１参照）。
【０００４】
また、他の従来技術として、篭から監視センターへの缶詰状態である旨の通話及び監視センターから篭への低速運転指示の通話を伝えるインターホンと、監視センターに設置され、缶詰状態である旨の通話に基づいて操作員が低速運転指令を送信する低速運転可能操作釦と、低速運転指令を受信し、低速運転指示の通話に基づいて乗客により篭内の低速運転釦が押されたときに所定の位置まで低速運転を行う演算装置とを備え、乗客が篭内に閉じ込められたとき、監視センターからの遠隔操作により運転モードを手動モードとし、篭内で低速運転可能として所定の乗場位置まで運転できるようにしたエレベータ救出運転制御装置が知られている（例えば、特許文献２参照）。
【０００５】
【特許文献１】特開平４−２６６３７８号公報
【特許文献２】特開平６−２９８４６２号公報
【発明の開示】
【発明が解決しようとする課題】
【０００６】
しかしながら、図２のように構成された従来の静止系エレベータでは、安全チェックにて停止故障して、乗客がかご室内に閉じ込められた場合、リセットにより復帰する故障が多数あるにもかかわらず、故障対応者である保守技術者が到着しないと、リセットできないため、乗客を迅速に救出できないという問題点がある。
【０００７】
また、従来技術のエレベータの監視制御装置では、故障が起きたとき、エレベータかご内に乗客が乗っておらず、かん詰状態とならない場合には、リセットによる繰返し運転を不能にして機器の重大な破損を防止することができ、また、エレベータかご内に乗客が乗っている場合には、リセットによる繰返し運転を乗客の安全と機器の重大な破損の防止を確保しながら行うことができるようにしたものであるが、故障対応者である保守技術者が救出に来る前に、乗客がインターホン釦を押すと同時にリセット信号を送り、エレベータを再起動可能であれば、エレベータが動き出して最寄階に停止し、乗客をかご内から脱出可能にしたものではない。
【０００８】
また、他の従来技術のエレベータ救出運転制御装置では、監視センターに低速運転可能操作釦、篭内に低速運転釦、制御盤に演算装置を設け、乗客が篭内に閉じ込められたとき、監視センターからの遠隔操作により救出運転を行うものであり、静止系エレベータへの適用を考えたものではない。
【０００９】
この発明は、上述のような課題を解決するためになされたもので、静止系エレベータにおいて、安全チェックによる停止故障時、閉じ込められた乗客がかご内インターホン釦を押すことにより、リセット信号をエレベータの制御盤に送り、リセット信号と連動してエレベータを再起動可能にして閉じ込めを防止するようにしたエレベータの閉じ込め防止装置を提供するものである。
【課題を解決するための手段】
【００１０】
この発明に係るエレベータの閉じ込め防止装置においては、エレベータのかご室と、かご室に設けられたかご操作盤と、故障等によりかご室内に乗客が閉じ込められた時、閉じ込められた乗客が操作することにより情報センターと接続されてインターホン通話を可能とするかご内インターホン釦と、閉じ込め故障時に情報センターに異常信号を送る制御盤とを備え、閉じ込め故障が発生した際に、故障対応者である保守技術者が現場に到着し、操作盤をリセットしてから救出できるように構成されたエレベータにおいて、かご室内に閉じ込められた乗客がかご内インターホン釦を操作すると同時に、制御盤にリセット信号を送り、故障対応者である保守技術者が現場に到着する前に、エレベータをリセットして再起動可動にするものである。
【００１１】
また、この発明に係るエレベータの閉じ込め防止装置においては、エレベータのかご室と、かご室に設けられたかご操作盤と、安全チェックによる停止故障によりかご室内に乗客が閉じ込められた時、閉じ込められた乗客が操作することにより情報センターと接続されてインターホン通話を可能とするかご内インターホン釦と、安全チェックによる閉じ込め故障時に情報センターに異常信号を送る制御盤とを備え、閉じ込め故障が発生した際に、故障対応者である保守技術者が現場に到着し、操作盤をリセットしてから救出できるように構成された静止系エレベータにおいて、安全チェックによる停止故障時、かご室内に閉じ込められた乗客がかご内インターホン釦を操作すると同時に、制御盤にリセット信号を送り、故障対応者である保守技術者が現場に到着する前に、エレベータをリセットして再起動可動にするものである。
【発明の効果】
【００１２】
この発明によれば、静止系エレベータにおいて、安全チェックによる停止故障時、かご室１内に乗客が閉じ込められた場合、乗客がかご内インターホン釦を操作すると同時に、エレベータの制御盤内の制御基盤にリセット信号を送るように構成し、制御基盤がかご内インターホン釦からのリセット信号を受けると、エレベータが再起動可能であれば動き出すようにしたので、故障対応者である保守技術者が現場に到着する前に、乗客をかご内から脱出させることができる。これにより、リセットにて再起動可能な安全チェックによる閉じ込め故障を無くすことができる効果がある。
【発明を実施するための最良の形態】
【００１３】
実施の形態１．
図１はこの発明の実施の形態１におけるエレベータの閉じ込め防止装置を示すシステム構成図である。
【００１４】
図において、１はエレベータのかご室、２はかご室１の側壁に設けられたかご操作盤、３はかご操作盤２に設けられたかご内インターホン釦、４はかご室１内の乗客、５は外部の情報センターである。エレベータの安全チェックによる故障等により乗客４がかご室１内に閉じ込められた場合、乗客４がかご内インターホン釦３を操作することにより、情報センター５と直接インターホン通報６することが可能となっている。７はエレベータの制御盤、８は制御盤７に設けられた制御基盤で、エレベータの安全チェックによる閉じ込め故障時に情報センター５に異常信号９を送る。１０はエレベータの安全チェックによる閉じ込め故障時等に出動して故障対応活動を行う保守技術者１１が詰めている保守技術者所属事務所である。そして、情報センター５より閉じ込め救出指示１２が保守技術者所属事務所１０に来ると、故障対応者である保守技術者１１がエレベータの閉じ込め故障が発生したビル現場に到着し、制御盤７をリセットして救出活動が行われる。
ここまでの構成は、従来の静止系エレベータと同一であるが、この発明においては、静止系エレベータにおいて、安全チェックによる停止故障時、乗客４がかご室１内に閉じ込められた場合、乗客４がかご内インターホン釦３を操作すると同時に、エレベータの制御盤７内の制御基盤８にリセット信号１３を送るように構成した点に特徴がある。そして、制御基盤８がかご内インターホン釦３からのリセット信号１３を受ける。通常はリセットにて復帰する故障が多数あるが、故障対応者である保守技術者が到着しないと、リセットできないため、乗客が迅速に救出されないという問題点があった。しかし、リセットにて復帰する故障である場合は、エレベータが再起動可能であれば、故障対応者である保守技術者１１が現場に到着して救出活動を行う前に、エレベータが動き出して最寄階に停止し、乗客はかご内から脱出することが可能となる。
【００１５】
この実施の形態１によれば、静止系エレベータにおいて、安全チェックによる停止故障時、かご室１内に乗客が閉じ込められた場合、乗客がかご内インターホン釦を操作すると同時に、エレベータの制御盤内の制御基盤にリセット信号を送るように構成し、制御基盤がかご内インターホン釦からのリセット信号を受けると、エレベータが再起動可能であれば動き出すようにしたので、故障対応者である保守技術者が現場に到着する前に、乗客をかご内から脱出させることができる。これにより、リセットにて再起動可能な安全チェックによる閉じ込め故障を無くすことができる。
【図面の簡単な説明】
【００１６】
【図１】この発明の実施の形態１におけるエレベータの閉じ込め防止装置を示すシステム構成図である。
【図２】従来のエレベータの閉じ込め防止装置を示すシステム構成図である。
【符号の説明】
【００１７】
１  エレベータのかご室
２  かご操作盤
３  かご内インターホン釦
４  乗客
５  情報センター
６  インターホン通報
７  エレベータの制御盤
８  制御基盤
９  異常信号
１０  保守技術者所属事務所
１１  保守技術者（故障対応者）
１２  救出指示
１３  リセット信号
【図１】
2008308253.tif 000003
【図２】
2008308253.tif 000004